(57)【要約】【課題】  コイル搬送中に生じるコイル幅方向および長手方向の共ずれ疵を根本的に防止することのできる熱延鋼帯の製造方法を提供する。【解決手段】    熱間圧延した熱延鋼帯を所定の巻取温度で巻き取って熱延コイルとし、該熱延コイルをコイルヤードへ搬送する熱延コイルの製造方法であって、熱延コイルの温度が予め定めた温度域にあるときに前記熱延コイルの移載作業を行うことなく、前記熱延コイルをコイルヤードへ搬送することを特徴とする熱延コイルの製造方法。【選択図】図１
2005066690.tif 000002
【特許請求の範囲】
【請求項１】
熱間圧延した熱延鋼帯を所定の巻取温度で巻き取って熱延コイルとし、該熱延コイルをコイルヤードへ搬送する熱延コイルの製造方法であって、
熱延コイルの温度が予め定めた温度域にあるときに前記熱延コイルの移載作業を行うことなく、前記熱延コイルをコイルヤードへ搬送することを特徴とする熱延コイルの製造方法。
【請求項２】
熱間圧延した熱延鋼帯を所定の巻取温度で巻き取って熱延コイルとし、該熱延コイルをコイルヤードへ搬送する熱延コイルの製造方法であって、
熱延コイルをコイルヤードへ搬送中に前記熱延コイルの温度が予め定めた温度域とならないように、前記熱延コイルを搬送することを特徴とする熱延コイルの製造方法。
【請求項３】
熱延コイルの巻取温度を調整することにより搬送中の熱延コイル温度を調整することを特徴とする請求項１または２に記載の熱延コイルの製造方法。
【請求項４】
熱延コイルの搬送経路および／または搬送手段を調整することにより搬送中の熱延コイル温度を調整することを特徴とする請求項１乃至３のいずれかに記載の熱延コイルの製造方法。
【請求項５】
熱延コイルを強制冷却することにより搬送中の熱延コイル温度を調整することを特徴とする請求項１乃至４のいずれかに記載の熱延コイルの製造方法。
【請求項６】
予め定めた温度域が、５３０〜５８０℃であることを特徴とする請求項１乃至５のいずれかに記載の熱延コイルの製造方法。
【請求項７】
熱延コイルの搬送中に熱延コイルの表面温度を計測し、この計測結果に基づいて熱延コイル温度を調整することを特徴とする請求項１乃至６のいずれかに記載の熱延コイルの製造方法。
【発明の詳細な説明】
【技術分野】
【０００１】
本発明は、熱間圧延した鋼帯を熱延コイルとして巻取り、コイルヤードへ搬送する熱延コイルの製造方法に関するものである。
【背景技術】
【０００２】
以下の説明においては、１つのコンベア上をコイルが動くことを移送、移載機を使う場合や、または移載機は使わないが、コンベアと次コンベア上をコイルが乗り移ることを移載（コンベアからコイルをクレーンで吊り上げて、次コンベア上、冷却ヤードまたはコイルヤードへ搬送する場合も含む）、上記の移送と移載の両者を含むことを搬送と定義する。
【０００３】
熱延鋼帯の製造においては、熱間圧延した熱延鋼帯をコイラーで巻き取って熱延コイルとし、これをコイルの状態でコイルヤードへ搬送する。そして、次工程へ搬送するまでの間、熱延コイルはここで保管される。
【０００４】
通常、熱延コイルの搬送には、コンベア上に熱延コイルを載置して移送するコンベア移送が用いられている。このコンベア移送において搬送コースを変える場合には、異なるコンベアを交差させ、交差点に移載装置を設けて、コイルをこの移載装置に一旦移してから、再度、次のコンベアに移し変えている。また、搬送コースが直線状である場合でも、距離が長い場合にはコンベアが複数に分割されているため、同様に移載作業が必要となる。さらに、上記の移載作業を、熱延コイルをクレーンで吊り上げることにより行う場合もある。
【０００５】
このようにして熱間圧延後の熱延コイルをコイルヤードまで搬送する際に、コイルの幅方向に疵を生じさせる場合があることが知られている。これは、コイルが搬送中に巻きくずれ、コイルの板面同士が幅方向に擦れてカキ疵状の欠陥となるものである（巻きくずれ疵、巻きずれ疵、カキ疵ともいうが、以下、共ずれ疵と称する）。
【０００６】
共ずれ疵の対策としては、高低差のあるコンベア間に垂直昇降式移送コンベアを配設すると共に、垂直昇降式移送コンベアの昇降作動によりコンベア間に高低差をなくしたコイル搬送装置が知られている（例えば、特許文献１参照。）。
【特許文献１】特開平７−２７７４９１号公報
【発明の開示】
【発明が解決しようとする課題】
【０００７】
特許文献１では、共ずれ疵の発生原因は、下り坂および登り坂の傾斜部を有するコンベアでコイルを搬送する際、傾度を持った状態で搬送されるためにコイル内の加重変動が起こり、コイル幅方向での巻きくずれを生じるためであるとしている。そして、高低差を生ずる場所においては垂直昇降式移送コンベアを採用することによって、傾斜部を有するコンベアをなくし、コイル搬送中に生じるコイル幅方向での巻きくずれ疵を防止できるとしている。
【０００８】
しかしながら、本発明者等の検討によれば、コイルの共ずれ疵は、高低差のある場所への搬送時のみならず、高低差のない場所への搬送時にも生じることが判っており、特許文献１の方法によっては共ずれ疵は完全には防止できない。また、共ずれ疵の発生方向は、特許文献１に示されているコイル幅方向のみならず、鋼帯の長手方向にも発生することが判った。
【０００９】
さらに、従来より、このような共ずれ疵は、コイルの内径の穴が縦になった状態での搬送（アップエンド搬送）時に生じることが知られていた。しかし、発生頻度は低いものの、コイルの内径の穴が横になった状態での搬送（ダウンエンド搬送）時にも共ずれ疵が発生することが判り、品質要求が厳しい最近では問題となってきている。
【００１０】
このように、特許文献１はアップエンド搬送時のコイルの傾斜にのみ着目した共ずれ疵対策であったが、本質的な課題の解決には至っておらず、別の観点からの対策が必要であることが明らかとなった。
【００１１】
したがって、本発明は、上記のような従来技術の問題点を解決し、コイル搬送中に生じるコイル幅方向および長手方向の共ずれ疵を根本的に防止することのできる熱延鋼帯の製造方法を提供することを目的とする。
【課題を解決するための手段】
【００１２】
先に述べたように、熱延鋼帯を巻き取ったコイルを搬送中に発生するコイル幅方向および長手方向の共ずれ疵は、鋼帯同士の共ずれにより発生するが、熱延鋼帯の表面はスケールで覆われており、実際にはスケール同士が擦れているはずである。また、コイラーにて巻き取ったコイルは通常４５０〜６８０℃程度であり、コイル搬送中に放冷されるために温度は徐々に低下していく。
【００１３】
そこで本発明者等は、この共ずれの発生の要因として、コイルの温度とその温度におけるスケールの特性が関係するとの着想を得て、熱延コイルに共ずれ疵が発生するメカニズムについて鋭意検討を進めた。
【００１４】
図２は、本発明者等が行った、表面にスケールを有する鋼板同士が接触して擦れる現象を再現した実験の説明図である。本図に示すように、表面にスケールを有する鋼板を重ね合わせ、温度条件を変化させて鋼板を相対的に滑らせる実験を行い、スケールの状態等を観察した。
【００１５】
その結果、図３に示すように、鋼板表面のスケールは、温度が高くなるほどスケール間（一方の鋼板表面のスケールと他方の鋼板表面のスケールの間）で圧着し易くなる。一方、スケール自体は、温度が低くなるほど割れやすくなり、温度が高くなるほど延性が増し割れにくくなることが判った。
【００１６】
つまり、温度が充分低い場合には、スケール同士は圧着せず、鋼板はそのスケール表面同士で滑るために母材の鋼板表面に共ずれ疵は発生しない。一方、温度が充分高い場合には、スケール同士が圧着するが、スケールの延性が高くスケールが伸ばされるため、スケールに割れを発生させることなくスケールが塑性変形して鋼板同士が相対的にずれることが可能となる。
【００１７】
ところが、図３に示すように、これらの中間には、スケール間で圧着し易く、且つスケール自体が割れやすい温度域が存在し、この温度域内で疵の発生が顕著になるということが判った。つまり、この温度域では、スケール同士が圧着され、且つ鋼板を相対的に滑らせようとする力が加わるとスケールが壊れやすいために鋼板から剥れ、母材が表に出たところに壊れたスケールの破片が当たって疵が発生することになる。そして、この温度域は約５３０〜５８０℃であることが判った。
【００１８】
上述したような共ずれ疵発生のメカニズムによれば、コイルの共ずれ疵は、巻取り後の熱延コイルを搬送する間、上記の温度域において、コイルが傾いたり振動を受ける等によって鋼板同士がずれるような力が加わることにより生じることがわかる。そして、加わる力の方向や大きさによって、コイル幅方向のみならず長手方向にも発生するし、アップエンド搬送時のみならずダウンエンド搬送時にも発生することとなる。
【００１９】
よって、コイルの共ずれ疵を防ぐには、熱延コイルを製造してこれをコイルヤードまで搬送する際に、上記の温度域を避けて搬送すること、特に上記の温度域ではコイルが傾いたり振動したりする移載作業を避けるべきであるという知見を得た。さらに、搬送中のコイル温度を調整するために、熱延コイルの巻取温度や熱延コイルの搬送経路、搬送手段等を調整するとの着想に至った。このように、共ずれ疵の対策として熱延コイルの温度に着目するという観点は、従来の技術にはなかったものであり、これにより共ずれ疵を根本的に解決することが期待できる。
【００２０】
本発明はこのような知見に基づきなされたもので、その特徴は以下の通りである。
【００２１】
（１）熱間圧延した熱延鋼帯を所定の巻取温度で巻き取って熱延コイルとし、該熱延コイルをコイルヤードへ搬送する熱延コイルの製造方法であって、熱延コイルの温度が予め定めた温度域にあるときに前記熱延コイルの移載作業を行うことなく、前記熱延コイルをコイルヤードへ搬送することを特徴とする熱延コイルの製造方法。
【００２２】
（２）熱間圧延した熱延鋼帯を所定の巻取温度で巻き取って熱延コイルとし、該熱延コイルをコイルヤードへ搬送する熱延コイルの製造方法であって、熱延コイルをコイルヤードへ搬送中に前記熱延コイルの温度が予め定めた温度域とならないように、前記熱延コイルを搬送することを特徴とする熱延コイルの製造方法。
【００２３】
（３）熱延コイルの巻取温度を調整することにより搬送中の熱延コイル温度を調整することを特徴とする上記（１）または（２）に記載の熱延コイルの製造方法。
【００２４】
（４）熱延コイルの搬送経路および／または搬送手段を調整することにより搬送中の熱延コイル温度を調整することを特徴とする上記（１）乃至（３）のいずれかに記載の熱延コイルの製造方法。
【００２５】
（５）熱延コイルを強制冷却することにより搬送中の熱延コイル温度を調整することを特徴とする上記（１）乃至（４）のいずれかに記載の熱延コイルの製造方法。
【００２６】
（６）予め定めた温度域が、５３０〜５８０℃であることを特徴とする上記（１）乃至（５）のいずれかに記載の熱延コイルの製造方法。
【００２７】
（７）熱延コイルの搬送中に熱延コイルの表面温度を計測し、この計測結果に基づいて熱延コイル温度を調整することを特徴とする上記（１）乃至（６）のいずれかに記載の熱延コイルの製造方法。
【発明の効果】
【００２８】
本発明によれば、熱延コイルの巻取り温度や熱延コイルのコイルヤードまでの搬送手段等を適切に調整することによって、熱延コイルの搬送中に発生する共ずれ疵を防止して、品質上極めてすぐれた熱延コイルを得ることができ、歩留まり向上、直行率向上に寄与する。
【発明を実施するための最良の形態】
【００２９】
図１は本発明の実施に供される熱延コイルの搬送装置を示す全体配置図である。
【００３０】
図１に示す搬送装置は、熱延コイル１を移送する第１〜４のチェーンコンベア１１〜１４と、第１〜４のチェーンコンベア１１〜１４のそれぞれの間に配設された熱延コイル１の移載作業を行う移載装置４ａ、４ｂ、４ｃと、第１〜４のチェーンコンベア１１〜１４と直交する方向に配置された第５のチェーンコンベア１５とからなる。また、この他にも、熱延コイル１を冷却する冷却ヤード２０、熱延コイル１を搬送する天井クレーン（図示せず）があり、第１〜４のチェーンコンベア１１〜１４から離れて熱延コイルを保管するコイルヤード３０がある。
【００３１】
さらに、第１〜４のチェーンコンベア１１〜１４に近接して、複数の冷却水スプレー装置（図示せず）がコンベアにて移送中の熱延コイルへ向けて設置されており、必要に応じてオンラインで熱延コイルの全体を水冷できる。スプレー装置に限らず扇風機等の送風機を設置してもよい。
【００３２】
前記チェーンコンベア１１〜１４は、設備を長くするとコストが高くなるのと、移送の効率を考えて複数に分割された構造となっている。
【００３３】
前記チェーンコンベア１５は、熱延コイル１を冷却するために冷却ヤード２０に熱延コイル１を案内するための移送装置である。
【００３４】
前記移載装置４ａ、４ｂ、４ｃは、移載作業地点Ａ、Ｂ、Ｃにおいて熱延コイルをチェーンコンベアから別のチェーンコンベアに移載する装置である。具体的には、本実施形態ではチェーンコンベア方式であるが、他にウォーキングビーム方式のものや、天井クレーンも含まれる。ここで、移載装置４ａ、４ｂ、４ｃには移載機は使っておらずコンベアを使っているが、コンベアの間でコイルが乗り移るので前述の定義のとおり移載装置とした。
【００３５】
前記冷却ヤード２０では、一般にスプレーノズルを用いた水冷が行われている。
【００３６】
前記コイルヤード３０は、熱延コイルを保管するヤードである。
【００３７】
まず熱延コイル１は、コイルリフター等を備えた熱延ラインの出側設備（図示せず）により、コイラーのマンドレルから第１のチェーンコンベア１１にアップエンド姿勢で搬送され載置される。
【００３８】
次に熱延コイル１は、移載作業地点Ａにおいて移載装置によりチェーンコンベア１１からチェーンコンベア１２に移される。
【００３９】
こうして、第１のチェーンコンベア１１から第４のチェーンコンベア１４まで移送された熱延コイル１は、天井クレーンによりコイルヤード３０に搬送され、そこで保管される。
【００４０】
上記設備を使用して本発明法を実施する場合には、まず熱延コイルに共ずれ疵が発生する温度域を予め求めておく。本実施形態では、この温度域を５３０〜５８０℃に定めた。
【００４１】
次に、本発明法を実施する場合には、（１）熱延コイルの温度が、コイルヤードへの搬送中に予め定めた温度域になる場合には、この温度域での熱延コイルの移載作業を行わない。つまり、熱延コイルをチェーンコンベア上で移送するのはよいとしても、移載装置を用いての熱延コイルの移載作業（コンベアと次コンベア間でのコイル乗り移りも含む）では熱延コイルに振動を与える可能性が高くなり、コイルに共ずれ疵が生じて疵を発生させることになるので、この温度域の間は熱延コイルの移載作業は行わない。
【００４２】
ここで、熱延コイルをチェーンコンベアを用いてコイルヤードへ搬送する場合について、熱延コイルの内径側と外径側とに振動計を取り付けて移送させて熱延コイルの振動状態と共ずれ疵との関係を調査した。その結果、熱延コイルの振動レベル（通常加速度の絶対値で表す）は、チェーンコンベア上で移送中は３m/sec2以下であり、共ずれ疵は発生しないことが判った。一方、通常熱延コイルの移載作業では３m/sec2を超える振動が発生しており、本調査では３．５m/sec2程度の振動レベルであり、そこで共ずれ疵が発生することが判った。
【００４３】
つまり、熱延コイルをチェーンコンベア上で移送する場合であっても、コンベアのガタ等により振動が大きくなって３m/sec2を超えた場合には共ずれ疵が発生して、コンベア移送が行えなくなる可能性があるのでコンベアの設備管理を強化することが好ましい。また、コンベアの設備管理が難しく、コンベア移送中の振動レベルが３m/sec2を超える場合には前記温度域でのコンベア移送を避けることが望ましい。
【００４４】
または、上記設備を使用して本発明法を実施する場合には、（２）熱延コイルの温度が、コイルヤードへの搬送中に予め定めた温度域にならないように、熱延コイルをコイルヤード３０に搬送するとよりよい。
【００４５】
上述した（１）および（２）を実現するための具体的な方法としては、（３）熱間圧延した後の巻取り温度を調整すればよい。例えば、予め定めた温度域以下で巻取ることも考えられるし、熱延コイルの搬送時間中の温度降下量を見越して予め定めた温度域よりも高めに巻取ることも考えられる。ただし、熱延鋼帯の材質を確保するため、巻取り温度は制約がある場合が多く、この方法を適用できない場合もある。そのような場合には、以下で説明する（４）や（５）の方法が有効である。
【００４６】
また、上述した（１）および（２）を実現するための具体的な方法としては、（４）熱延コイルの搬送経路および／または搬送手段を調整すればよい。例えば、予め定めた温度域に近づいたら天井クレーン等を用いて熱延コイルを早くコイルヤード３０に搬送するとか、予め定めた温度域で移載作業が発生しないように搬送経路を変更するなどの手段を講じる。
【００４７】
さらに、上述した（１）および（２）を実現するための具体的な方法としては、（５）熱延コイルを強制冷却すればよい。例えば、予め定めた温度域に近づいたら熱延コイルをチェーンコンベア１５により冷却ヤード２０に案内し、予め定めた温度域以下に水冷した後、またチェーンコンベア１５により元のチェーンコンベアのラインに戻す。または、第１〜４のチェーンコンベア１１〜１４に近接して、複数の冷却水スプレー装置や扇風機をコンベアにて移送中の熱延コイルへ向けて設置し、オンラインで予め定めた温度域以下に熱延コイルを水冷したり空冷したりする。ただし、冷却速度の観点からは冷却水を用いることが好ましい。
【００４８】
もちろん、上述した（１）および（２）を実現するための具体的な方法として、上記（３）〜（５）を適宜組み合わせてもよい。このように熱延コイルの巻取り温度や熱延コイルのコイルヤードまでの搬送手段等を適切に調整することによって、熱延コイルの搬送中に発生する共ずれ疵を防止することができる。
【００４９】
また、熱延コイルの温度は、例えば、巻取り温度、雰囲気温度、巻取り後の経過時間、熱延コイルの大きさ等から計算により予測してもよいし、熱延コイルの搬送中に放射温度計等により熱延コイルの表面温度を計測してもよい。そして、この予測値や計測結果に基づいて熱延コイルの搬送経路および／または搬送手段を調整したり、熱延コイルを冷却開始することが好ましい。
【００５０】
しかし、熱延コイルの温度はコイルの外側近傍と内部とでは１００℃以上の温度差が付くことがある。熱延鋼帯全長に対して共ずれ疵発生を防止するためには、コイル全体が予め定めた温度域にないことが必要である。つまり、予め定めた温度域が５３０〜５８０℃であり、この温度域での熱延コイルの移載作業を行わないとは、移載作業時にはコイル全体で５３０〜５８０℃の温度域の部分がないことが理想的である。しかしながら、共ずれ疵は熱延コイルが実際にずれた時に発生するものであり、コイル内の共ずれが発生する部分さえ予め定めた温度域になければよいはずである。実際、本発明者等の検討によれば、共ずれ疵は熱延コイルの最外周から巻厚（コイル径方向の最外周からの距離）５０ｍｍの間、特に巻厚４０ｍｍの間で生じやすい。ただし、コイラー前ピンチロールとコイラーのマンドレルまでに鋼帯が張り渡された長さに相当する、コイル最尾端部分から長手方向１０ｍに位置する部分では、鋼帯がピンチロールを抜けたら鋼帯に張力がかからないために巻締りが小さく、スケール間を圧着させる力が小さいためにずれが生じても疵が発生しにくい。よって、「コイル最尾端部分から長手方向１０ｍに位置する部分」から「最外周からの巻厚で５０ｍｍ内側に位置する部分、好ましくは４０ｍｍ内側に位置する部分」の間の温度が予め定めた温度域になければよい。
【００５１】
なお、本実施形態では、熱延コイルを搬送するのに熱延コイルをアップエンド姿勢で搬送する場合について説明したが、アップエンド姿勢のみならずダウンエンド姿勢にも適用できることは言うまでも無い。
【実施例１】
【００５２】
図１に示す熱延コイルの搬送装置を用いて、熱延鋼帯をコイラーで巻取った熱延コイル１を、第１のチェーンコンベア１１にアップエンド姿勢で搬送し、そこからコイルヤード３０までの搬送を行った。なお、共ずれ疵が発生する温度域を予め調査し、その温度域を５３０〜５８０℃と定めた。
【００５３】
図４は、本発明の発明例を示すグラフで、熱延コイルの温度と搬送経路との関係を示している。以下に４つのケースについての本発明例を説明する。なお、図４および以下の本実施例の説明における熱延コイル温度とは、前述したように熱延コイル最外周から巻厚で４０ｍｍの位置における温度のことである。
【００５４】
ここで、第１のチェーンコンベア１１からコイルヤード３０まで熱延コイル１を搬送する通常の搬送手段とは、第１のチェーンコンベア１１での移送、Ａ地点での移載装置４ａによる移載作業、第２のチェーンコンベア１２での移送、Ｂ地点での移載装置４ｂによる移載作業、第３のチェーンコンベア１３での移送、Ｃ地点での移載装置４ｃによる移載作業、第４のチェーンコンベア１４での移送、天井クレーン作業によるコイルヤード３０への移載と定義する。ここで、移載装置４ａ、４ｂ、４ｃには移載機は使っておらずコンベアを使っているが、コンベアの間でコイルが乗り移るので前述の定義のとおり移載装置とした。
【００５５】
なお、第１〜第４のチェーンコンベア１１〜１４は、移送中の熱延コイルの振動レベルが３m/sec2以下となるように設備管理されていた。
［ケース１］  熱延コイルの巻取り温度を搬送中に５８０℃以下とならない温度に設定する場合
本熱延コイルが、共ずれ疵の発生が顕著になる温度域である約５３０〜５８０℃に達する前に、チェーンコンベアでの移送および移載作業地点Ａ、Ｂ、Ｃでの移載作業および第４のチェーンコンベアからコイルヤードへの天井クレーンによる移載作業を終了させるように、熱延コイルの巻取り温度を６８０℃に設定した。
【００５６】
本熱延コイルが、コイラーでの巻取り以降、第１のチェーンコンベアに載置されてから２０分後にコイルヤードに到着したときの熱延コイルの温度は、約６３０℃であり、共ずれ疵の発生が顕著になる温度域である約５３０〜５８０℃より十分高く、コイル幅方向および長手方向の共ずれ疵は全く発生しなかった。
［ケース２］  熱延コイルの搬送経路および搬送手段を調整する場合
本熱延コイルは、巻取り温度を６５０℃に設定したところ、移載作業地点Ｃでの移載作業中に巻ずれ疵の発生が顕著になる温度域である約５３０〜５８０℃に近づく温度となることが予測された。そこで、第３のチェーンコンベア１４での移送の途中から、天井クレーンにより本熱延コイルをコイルヤードに搬送した。
【００５７】
コイルヤードに到着したときの本熱延コイルの温度は、約６１０℃であり、巻ずれ疵の発生が顕著になる温度域である約５３０〜５８０℃より高く、コイル幅方向および長手方向の共ずれ疵は全く発生しなかった。
［ケース３］  熱延コイルに強制冷却を行う場合
本熱延コイルは、巻取り温度を６４０℃に設定したところ、移載作業地点Ｃでの移載作業中に巻ずれ疵の発生が顕著になる温度域である約５３０〜５８０℃に到達することが予測された。そこで、本熱延コイルを移載作業地点Ｂでの移載作業を終了した後、第５のチェーンコンベア１５での移送を行って冷却ヤード２０位置まで移送し、スプレーノズルを用いて本熱延コイルを約５３０〜５８０℃の温度域を下回る５１０℃にまで冷却した。
【００５８】
冷却後、本熱延コイルを第５のチェーンコンベア１５での移送を行って、移載作業地点Ｂに戻り、後は通常の搬送手段に従ってコイルヤードに搬送した。コイルヤードに到着したときの熱延コイルの温度は、約４９０℃でありコイル幅方向および長手方向の共ずれ疵は全く発生しなかった。
［ケース４］  熱延コイルの巻取り温度を５３０℃以下に設定する場合
本熱延コイルは、巻取り温度がすでに巻ずれ疵の発生が顕著になる温度域である約５３０〜５８０℃を下回る４９０℃に設定された。そこで第１のチェーンコンベアからコイルヤードまで通常の搬送手段に従って搬送した。
【００５９】
本熱延コイルが、コイラーでの巻取り以降、第１のチェーンコンベアに載置されてから２０分後にコイルヤードに到着したときの熱延コイルの温度は、約４４０℃でありコイル幅方向および長手方向の共ずれ疵は全く発生しなかった。
【図面の簡単な説明】
【００６０】
【図１】本発明の実施に供される熱延コイルの搬送装置を示す全体配置図
【図２】表面にスケールを有する鋼板同士が接触して擦れる現象を示す説明図
【図３】スケール密着性およびスケールの割れの発生しやすさと温度との関係を示す説明図
【図４】本発明の発明例で、熱延コイルの温度と搬送経路との関係を示すグラフ
【符号の説明】
【００６１】
１  熱延コイル
４ａ、４ｂ、４ｃ  移載装置
１１  チェーンコンベア
１２  チェーンコンベア
１３  チェーンコンベア
１４  チェーンコンベア
１５  チェーンコンベア
２０  冷却ヤード
３０  コイルヤード
【図１】
2005066690.tif 000003
【図２】
2005066690.tif 000004
【図３】
2005066690.tif 000005
【図４】
2005066690.tif 000006